(57)【特許請求の範囲】
【請求項１】
着脱可能な記録媒体に記録されている映像の再生を制御する制御手段と、
ユーザの取得指示に応じて前記記録媒体の中から所望の画像を取得する取得手段と、
前記取得手段によって取得された画像を記憶手段に記録する記録手段と、
前記記憶手段に記録された画像を前記記録媒体の表面上に印刷する印刷手段と、
前記印刷手段が印刷可能な状況か否かを判断し、前記取得指示に応じたタイミングで前記印刷手段が印刷可能である場合、前記印刷手段に前記記憶手段に記録された画像の印刷を行わせ、前記取得指示に応じたタイミングで前記印刷手段が印刷不可能である場合、前記印刷手段に印刷を行わせずに前記記憶手段に画像を記録させ前記制御手段に映像の再生を継続させる判断手段と、
を備え、
前記取得指示に応じたタイミングで前記印刷手段が印刷不可能であった前記映像の再生が終端に達したときに前記印刷手段が印刷可能となっている場合、前記印刷手段は、前記記憶手段に記録されて印刷が行われていない画像を前記記録媒体の表面上に印刷することを特徴とする印刷装置。
【請求項２】
前記判断手段が前記印刷手段に印刷を行わせずに前記記憶手段に記録させた複数の画像から所定の画像を選択する選択手段をさらに備え、
前記印刷手段は、前記選択手段によって選択された画像を前記記録媒体の表面上に印刷することを特徴とする請求項１に記載の印刷装置。
【請求項３】
前記判断手段は、前記取得指示に応じたタイミングで前記印刷手段が印刷可能であってユーザからすぐに印刷を行う旨の指示を受けた場合に、前記印刷手段に前記記憶手段に記録された画像の印刷を行わせ、前記取得指示に応じたタイミングで前記印刷手段が印刷可能であってユーザからすぐに印刷を行わない旨の指示を受けた場合には、前記印刷手段に印刷を行わせずに前記記憶手段に画像を記録させ前記制御手段に映像の再生を継続させることを特徴とする請求項１又は２に記載の印刷装置。
【請求項４】
前記判断手段は、前記印刷手段の電源のＯＮ／ＯＦＦ及び印刷に用いるインクの残量の少なくともいずれかに基づいて判断を行うことを特徴とする請求項１〜３のいずれか一つに記載の印刷装置。
【請求項５】
着脱可能な記録媒体に記録されている映像の再生を制御する制御手段と、
ユーザの取得指示に応じて前記記録媒体の中から所望の画像を取得する取得手段と、
前記取得手段によって取得された画像を記憶手段に記録する記録手段と、
前記記憶手段に記録された画像を前記記録媒体の表面上に印刷させるべく所定の印刷装置に対して出力する出力手段と、
前記印刷装置が印刷可能な状況か否かを判断し、前記取得指示に応じたタイミングで前記印刷装置が印刷可能である場合、前記印刷装置に前記記憶手段に記録された画像の印刷を行わせ、前記取得指示に応じたタイミングで前記印刷装置が印刷不可能である場合、前記印刷装置に印刷を行わせずに前記記憶手段に画像を記録させ前記制御手段に映像の再生を継続させる判断手段と、
を備え、
前記取得指示に応じたタイミングで前記印刷装置が印刷不可能であった前記映像の再生が終端に達したときに前記印刷装置が印刷可能となっている場合、前記出力手段は、前記記憶手段に記録されて印刷が行われていない画像を出力することを特徴とする映像再生装置。
【請求項６】
前記判断手段が前記印刷装置に印刷を行わせずに前記記憶手段に記録させた複数の画像から所定の画像を選択する選択手段をさらに備え、
前記出力手段は、前記選択手段によって選択された画像を出力することを特徴とする請求項５に記載の映像再生装置。
【請求項７】
前記判断手段は、前記取得指示に応じたタイミングで前記印刷装置が印刷可能であってユーザからすぐに印刷を行う旨の指示を受けた場合に、前記印刷装置に前記記憶手段に記録された画像の印刷を行わせ、前記取得指示に応じたタイミングで前記印刷装置が印刷可能であってユーザからすぐに印刷を行わない旨の指示を受けた場合には、前記印刷装置に印刷を行わせずに前記記憶手段に画像を記録させ前記制御手段に映像の再生を継続させることを特徴とする請求項５又は６のいずれか一つに記載の映像再生装置。
【請求項８】
着脱可能な記録媒体に記録されている映像の再生を制御する制御工程と、
ユーザの取得指示に応じて前記記録媒体の中から所望の画像を取得する取得工程と、
前記取得工程によって取得された画像を記憶手段に記録する記録工程と、
前記記憶手段に記録された画像を前記記録媒体の表面上に印刷する印刷工程と、
前記印刷工程で印刷可能な状況か否かを判断し、前記取得指示に応じたタイミングで前記印刷工程で印刷可能である場合、前記印刷工程で前記記憶工程で記録された画像の印刷を行わせ、前記取得指示に応じたタイミングにおいて前記印刷工程で印刷不可能である場合、前記印刷工程で印刷を行わせずに前記記憶工程で画像を記録させ前記制御工程で映像の再生を継続させる判断工程と、
を含み、
前記取得指示に応じたタイミングで前記印刷装置が印刷不可能であった前記映像の再生が終端に達したときに前記印刷装置が印刷可能となっている場合、前記印刷工程において、前記記憶手段に記録されて印刷が行われていない画像を記録することを特徴とする印刷方法。
【請求項９】
着脱可能な記録媒体に記録されている映像の再生を制御する制御工程と、
ユーザの取得指示に応じて前記記録媒体の中から所望の画像を取得する取得工程と、
前記取得工程によって取得された画像を記憶手段に記録する記録工程と、
前記記憶手段に記録された画像を前記記録媒体の表面上に印刷する印刷工程と、
前記印刷工程で印刷可能な状況か否かを判断し、前記取得指示に応じたタイミングで前記印刷工程で印刷可能である場合、前記印刷工程で前記記憶工程で記録された画像の印刷を行わせ、前記取得指示に応じたタイミングにおいて前記印刷工程で印刷不可能である場合、前記印刷工程で印刷を行わせずに前記記憶工程で画像を記録させ前記制御工程で映像の再生を継続させる判断工程と、
を含み、
前記取得指示に応じたタイミングで前記印刷装置が印刷不可能であった前記映像の再生が終端に達したときに前記印刷装置が印刷可能となっている場合、前記印刷工程において、前記記憶手段に記録されて印刷が行われていない画像を記録する印刷方法をコンピュータに実行させることを特徴とする印刷プログラム。
【請求項１０】
請求項９に記載の印刷プログラムを記憶したことを特徴とするコンピュータに読み取り可能な記録媒体。
【発明の詳細な説明】
【技術分野】
【０００１】
本発明は、再生中の映像から取り込んだ画像を、当該映像が記録されているディスクの
表面上に印刷する印刷装置、映像再生装置、印刷方法、印刷プログラム、および記録媒体
に関する。
【背景技術】
【０００２】
従来より、たとえば、パーソナル・コンピュータなどによって、ＣＤ（Ｃｏｍｐａｃｔ
Ｄｉｓｃ）およびＤＶＤ（Ｄｉｇｉｔａｌ  Ｖｅｒｓａｔｉｌｅ  Ｄｉｓｃ）などの記
録媒体（以下、「ディスク」と示す）に対して、デジタルビデオカメラなどで撮影した映
像を記録することができる技術が知られている。このようなディスクにおいては、ディス
ク内にどのような映像が記録されているかを把握することが困難であった。このため、複
数のディスクを所有している場合、どのディスクに所望する映像が記録されているかを把
握するためには、手間や時間がかかるパーソナル・コンピュータなどの複雑な操作をおこ
なって、複数のディスクの中から所望する映像を探し出さなければならないという問題が
生じていた。
【０００３】
そこで、たとえば、パーソナル・コンピュータなどの画像編集装置によって生成したラ
ベルを、ディスクの表面上に印刷することができるように構成された印刷装置が知られて
いる（たとえば、下記特許文献１参照。）。このような印刷装置を用いて、ディスクに記
録されている映像の内容が示されたラベルをディスクの表面上に印刷することによって、
ユーザは、ディスクに表面上に印刷されたラベルを目視することなどにより、複数所有す
るディスクのそれぞれにどのような映像が記録されているかを把握することができる。
【０００４】
【特許文献１】特開２００５−７１５６６号公報
【発明の開示】
【発明が解決しようとする課題】
【０００５】
しかしながら、上記の従来技術にあっては、パーソナル・コンピュータなどの画像編集
装置によって、ディスクに記録されている映像の内容が示されたラベルを生成するための
手間や時間がかかり、ラベル印刷時における作業効率性が低下するという問題が生じてい
た。また、パーソナル・コンピュータなどの画像編集装置を所有しないユーザは、上記ラ
ベルを生成することができないという問題が生じていた。
【０００６】
本発明は、上述した従来技術による問題点を解消するため、簡単な操作により、ＣＤ／
ＤＶＤディスクに記録されている映像の中から選択した画像をＣＤ／ＤＶＤディスクの表
面上に印刷することによって、ラベル印刷時における作業効率性の向上を図ることができ
る印刷装置、映像再生装置、印刷方法、印刷プログラム、および記録媒体を提供すること
を目的とする。
【課題を解決するための手段】
【０００７】
上述した課題を解決し、目的を達成するため、この発明にかかる印刷装置は、着脱可能
な記録媒体に記録されている映像の再生を制御する制御手段と、前記記録媒体の中から所
望の画像を取得する取得手段と、前記取得手段によって取得された画像を記憶手段に記録
する記録手段と、前記記憶手段に記録された画像を前記記録媒体の表面上に印刷する印刷
手段と、を備え、前記印刷手段は、前記制御手段の制御によって前記映像の再生が停止さ
れた後に、前記記憶手段に記録された画像を前記記録媒体の表面上に印刷することを特徴
とする。
【０００８】
この発明によれば、記録媒体に記録され、再生されている映像の中から所望の画像を取
得することによって、この映像の再生が停止された後に、取得した画像を記録媒体の表面
上に印刷することができる。このため、たとえばユーザは、簡単な操作によって記録媒体
に記録されている映像の中から取得した所望の画像を記録媒体の表面上に印刷することが
できる。これにより、ラベル印刷時における作業効率性の向上を図ることができるだけで
なく、記録媒体の表面上に印刷された画像により、ユーザに対し、どの記録媒体にどのよ
うな映像が記録されているかを容易に把握させることが可能となる。
【０００９】
また、この発明にかかる印刷装置は、上記に記載の発明において、前記記憶手段に記録
された画像から所定の画像を選択する選択手段をさらに備え、前記印刷手段は、前記制御
手段の制御によって前記映像の再生が停止された後に、前記選択手段によって選択された
画像を前記記録媒体の表面上に印刷することを特徴とする。
【００１０】
この発明によれば、記録媒体に記録され、再生されている映像の中から取得された複数
の画像の中から所定の画像を選択することによって、この映像の再生が停止された後に、
選択した画像を記録媒体の表面上に印刷することができる。このため、容易に、記録媒体
に記録されている映像から取得された複数の画像の中から選択した所定の画像を記録媒体
の表面上に印刷することができる。
【００１１】
また、この発明にかかる印刷装置は、上記に記載の発明において、前記記録媒体は、Ｃ
Ｄ（Ｃｏｍｐａｃｔ  Ｄｉｓｃ）またはＤＶＤ（Ｄｉｇｉｔａｌ  Ｖｅｒｓａｔｉｌｅ  
Ｄｉｓｃ）であることを特徴とする。
【００１２】
この発明によれば、ＣＤまたはＤＶＤに記録され、再生されている映像の中から所望の
画像を取得し、この映像の再生が停止された後（すなわちＣＤまたはＤＶＤの回転を停止
させた後）に、取得した画像をＣＤまたはＤＶＤの表面上に印刷することができる。この
ため、容易に、ＣＤまたはＤＶＤに記録されている映像の中から取得した所望の画像をＣ
ＤまたはＤＶＤの表面上に印刷することができる。これにより、ラベル印刷時における作
業効率性の向上を図ることができるだけでなく、ＣＤまたはＤＶＤの表面上に印刷された
画像により、ユーザに対し、どの記録媒体にどのような映像が記録されているかを容易に
把握させることが可能となる。
【００１３】
また、この発明にかかる印刷装置は、上記に記載の発明において、前記制御手段は、前
記印刷手段による前記画像の印刷が終了した後に、前記映像が停止された箇所に続く映像
を再生することを特徴とする。
【００１４】
この発明によれば、記録媒体の表面上に画像を印刷した後であっても、映像の停止され
た箇所に続く映像を再生することができる。このため、たとえば記録媒体の表面上に画像
を印刷するために映像の再生が停止された場合であっても、画像の印刷が終了した後に、
ユーザに対して、容易に、停止された箇所に続く映像を引き続き視聴させることができる
。
【００１５】
また、この発明にかかる印刷装置は、上記に記載の発明において、前記制御手段は、前
記印刷手段による前記画像の印刷が終了した後に、前記記憶手段に記録された画像を破棄
することを特徴とする。
【００１６】
この発明によれば、記録媒体の表面上への画像の印刷がおこなわれた後に、記憶手段に
記録された画像が破棄されるため、ユーザは、容易に、記録媒体に記録されている映像の
中から取得した所望の画像を記録媒体の表面上に印刷したうえで、記憶手段に記録されて
いる不要となった映像を破棄しようとする必要がない。
【００１７】
また、この発明にかかる印刷装置は、着脱可能な記録媒体に記録されている映像の再生
を制御する制御手段と、前記記録媒体の中から所望の画像を取得する取得手段と、前記取
得手段によって取得された画像を前記記録媒体の表面上に印刷する印刷手段と、を備え、
前記印刷手段は、前記映像の再生中に、前記取得手段によって取得された画像を前記記録
媒体の表面上に印刷することを特徴とする。
【００１８】
この発明によれば、記録媒体に記録され、再生されている映像の中から所望の画像を取
得することによって、この映像の再生中に、取得した画像を記録媒体の表面上に印刷する
ことができる。このため、たとえばユーザは、映像の視聴を中断することなく、簡単な操
作によって記録媒体に記録されている映像の中から取得した所望の画像を記録媒体の表面
上に印刷することができる。これにより、ラベル印刷時における作業効率性の向上を図る
ことができるだけでなく、記録媒体の表面上に印刷された画像により、ユーザに対し、ど
の記録媒体にどのような映像が記録されているかを容易に把握させることが可能となる。
【００１９】
また、この発明にかかる映像再生装置は、着脱可能な記録媒体に記録されている映像の
再生を制御する制御手段と、前記記録媒体の中から所望の画像を取得する取得手段と、前
記取得手段によって取得された画像を記憶手段に記録する記録手段と、前記記憶手段に記
録された画像を前記記録媒体の表面上に印刷させるべく所定の印刷装置に対して出力する
出力手段と、を備え、前記出力手段は、前記制御手段の制御によって前記映像の再生が停
止された後に、前記記憶手段に記録された画像を所定の印刷装置に対して出力することを
特徴とする。
【００２０】
この発明によれば、記録媒体に記録され、再生されている映像の中から所望の画像を取
得することによって、この映像の再生が停止された後に、取得した画像を所定の印刷装置
によって記録媒体の表面上に印刷することができる。このため、たとえばユーザは、簡単
な操作によって記録媒体に記録されている映像の中から取得した所望の画像を所定の印刷
装置によって記録媒体の表面上に印刷することができる。これにより、ラベル印刷時にお
ける作業効率性の向上を図ることができるだけでなく、所定の印刷装置によって記録媒体
の表面上に印刷された画像により、ユーザに対し、どの記録媒体にどのような映像が記録
されているかを容易に把握させることが可能となる。
【００２１】
また、この発明にかかる映像再生装置は、上記に記載の発明において、前記取得手段に
よって画像が取得され、前記記録媒体を取り出す準備ができた後に、ユーザに対して前記
記録媒体を取り出すように促す催促手段をさらに備えたことを特徴とする。
【００２２】
この発明によれば、記録媒体を取り出す準備ができた後に、取得した画像を所定の印刷
装置によって記録媒体の表面上に印刷するため、ユーザに対して記録媒体を取り出すよう
に促すことができる。このため、たとえばユーザは、映像再生装置の指示に従った簡単な
操作によって記録媒体に記録されている映像の中から取得した所望の画像を所定の印刷装
置によって記録媒体の表面上に印刷することができ、取り出す準備ができていないのにユ
ーザが記録媒体を取り出そうとしてしまう事を防止できる。
【００２３】
また、この発明にかかる映像再生装置は、上記に記載の発明において、前記印刷装置に
対してＵＳＢダイレクトまたはピクトブリッジに基づいて接続し、前記出力手段は、前記
取得手段によって取得された画像を印刷装置によらない形式で出力することを特徴とする
。
【００２４】
この発明によれば、記録媒体に記録され、再生されている映像の中から所望の画像を取
得することによって、この映像の再生が停止された後に、取得した画像をＵＳＢダイレク
トまたはピクトブリッジに基づいて接続された所定の印刷装置によって記録媒体の表面上
に印刷することができる。このため、たとえばユーザは、簡単な操作によって記録媒体に
記録されている映像の中から取得した所望の画像を上記所定の印刷装置によって記録媒体
の表面上に印刷することができる。
【００２５】
また、この発明にかかる印刷方法は、着脱可能な記録媒体に記録されている映像の再生
を制御する制御工程と、前記記録媒体の中から所望の画像を取得する取得工程と、前記取
得工程によって取得された画像を記憶手段に記録する記録工程と、前記記憶手段に記録さ
れた画像を前記記録媒体の表面上に印刷する印刷工程と、を含み、前記印刷工程は、前記
制御工程の制御によって前記映像の再生が停止された後に、前記記憶手段に記録された画
像を前記記録媒体の表面上に印刷することを特徴とする。
【００２６】
この発明によれば、記録媒体に記録され、再生されている映像の中から所望の画像を取
得することによって、この映像の再生が停止された後に、取得した画像を記録媒体の表面
上に印刷することができる。このため、たとえばユーザは、簡単な操作によって記録媒体
に記録されている映像の中から取得した所望の画像を記録媒体の表面上に印刷することが
できる。これにより、ラベル印刷時における作業効率性の向上を図ることができるだけで
なく、記録媒体の表面上に印刷された画像により、ユーザに対し、どの記録媒体にどのよ
うな映像が記録されているかを容易に把握させることが可能となる。
【００２７】
また、この発明にかかる印刷方法は、着脱可能な記録媒体に記録されている映像の再生
を制御する制御工程と、前記記録媒体の中から所望の画像を取得する取得工程と、前記取
得工程によって取得された画像を前記記録媒体の表面上に印刷する印刷工程と、を含み、
前記印刷工程は、前記映像の再生中に、前記取得工程によって取得された画像を前記記録
媒体の表面上に印刷することを特徴とする。
【００２８】
この発明によれば、記録媒体に記録され、再生されている映像の中から所望の画像を取
得することによって、この映像の再生中に、取得した画像を記録媒体の表面上に印刷する
ことができる。このため、たとえばユーザは、映像の視聴を中断することなく、簡単な操
作によって記録媒体に記録されている映像の中から取得した所望の画像を記録媒体の表面
上に印刷することができる。これにより、ラベル印刷時における作業効率性の向上を図る
ことができるだけでなく、記録媒体の表面上に印刷された画像により、ユーザに対し、ど
の記録媒体にどのような映像が記録されているかを容易に把握させることが可能となる。
【００２９】
また、この発明にかかる印刷プログラムは、上記に記載の印刷方法をコンピュータに実
行させることを特徴とする。
【００３０】
この発明によれば、印刷プログラムを実行することにより、上述した印刷方法によって
得られる動作がコンピュータによって実現される。これにより、上述した印刷方法の実現
によって得られる各種効果を奏することができる。
【００３１】
また、この発明にかかる記録媒体は、上記に記載の印刷プログラムをコンピュータに読
み取り可能に記憶したことを特徴とする。
【００３２】
この発明によれば、記憶された印刷プログラムをコンピュータに読み取らせ、実行させ
ることによって、上述した印刷プログラムの実行によって得られる動作がコンピュータに
よって実現される。これにより、上述した印刷プログラムの実行によって得られる各種効
果を奏することができる。
【発明を実施するための最良の形態】
【００３３】
以下に添付図面を参照して、この発明にかかる印刷装置、映像再生装置、印刷方法、印
刷プログラム、および記録媒体の好適な実施の形態を詳細に説明する。
【００３４】
（実施の形態１）
（印刷装置の構成の概要）
図１は、本実施の形態１における印刷装置の構成の概要を示す説明図である。図１にお
いて、印刷装置１００は、ＣＤ／ＤＶＤディスク１１０に記録されている映像を再生する
機能と、ＣＤ／ＤＶＤディスク１１０の表面上にラベルを印刷する機能とを備えた装置で
あり、ディスクドライブ１２０と、ラベルプリンタ１３０と、操作ボタン１４０と、ディ
スプレイ１５０とを備えて構成されている。
【００３５】
ディスクドライブ１２０は、ＣＤ−Ｒ、ＣＤ−ＲＷ、ＤＶＤ−Ｒ、ＤＶＤ−ＲＷなどの
ＣＤ／ＤＶＤディスク１１０を挿入することによってＣＤ／ＤＶＤディスク１１０に記録
されている映像を再生する。ラベルプリンタ１３０は、ＣＤ／ＤＶＤディスク１１０の表
面上に所望の画像、文字、図形などによって構成されるラベルを印刷する。
【００３６】
操作ボタン１４０は、ユーザによって操作され、操作ボタン１４０の操作によって、Ｃ
Ｄ／ＤＶＤディスク１１０に記録されている映像の再生停止・再生開始や、ＣＤ／ＤＶＤ
ディスク１１０の表面上へのラベルの印刷などの処理がおこなわれる。ディスプレイ１５
０は、ディスクドライブ１２０によって再生されたＣＤ／ＤＶＤディスク１１０に記録さ
れている映像などを表示する。
【００３７】
上述した構成による印刷装置１００は、ＣＤ／ＤＶＤディスク１１０に記録されている
映像が再生されているときに、たとえば操作ボタン１４０に備えられた印刷ボタン１４０
Ａが押下されることによって、印刷ボタン１４０Ａが押下されたときにディスプレイ１５
０の画面上に表示されていた画像をメモリなどの記録媒体にキャプチャ（取り込み）する
ことができる。
【００３８】
そして、映像の再生が停止され、ユーザによってＣＤ／ＤＶＤディスク１１０がディス
クドライブ１２０から取り出された後にラベルプリンタ１３０にセットされることによっ
て、キャプチャされた画像をＣＤ／ＤＶＤディスク１１０の表面上に印刷することができ
る。また、印刷が終了した後に、ＣＤ／ＤＶＤディスク１１０を再びディスクドライブ１
２０にセットすることによって、停止された箇所に続く映像を再生することができる。
【００３９】
このように、本実施の形態１における印刷装置１００によれば、たとえばユーザは、Ｃ
Ｄ／ＤＶＤディスク１１０に記録されている映像を視聴しているときに、印刷ボタン１４
０Ａを押下して、ＣＤ／ＤＶＤディスク１１０をラベルプリンタ１３０にセットするだけ
といった簡単な操作によって、ＣＤ／ＤＶＤディスク１１０に記録されている映像に含ま
れた画像の中から所望する画像をＣＤ／ＤＶＤディスク１１０の表面上に印刷することが
できる。これにより、ラベル印刷時における作業効率性の向上を図ることができるだけで
なく、ＣＤ／ＤＶＤディスク１１０にどのような映像が記録されているかを明示すること
ができる。
【００４０】
なお、たとえば上述した印刷装置１００に限らずに、本発明の印刷装置はＣＤ／ＤＶＤ
ディスク１１０がディスクドライブ１２０に格納されたまま、画像をＣＤ／ＤＶＤディス
ク１１０の表面上に印刷することができる印刷装置１００や、人手を介さずに印刷装置１
００の制御によって、ディスクドライブ１２０とラベルプリンタ１３０との間のＣＤ／Ｄ
ＶＤディスク１１０の搬送をおこなうことができる印刷装置１００などであってもよい。
【００４１】
このような印刷装置１００の場合、たとえばユーザは、ＣＤ／ＤＶＤディスク１１０に
記録されている映像を視聴しているときに、印刷ボタン１４０Ａを押下するだけといった
簡単な操作によって、ＣＤ／ＤＶＤディスク１１０に記録されている映像に含まれた画像
の中から所望する画像をＣＤ／ＤＶＤディスク１１０の表面上に印刷することができる。
これにより、ラベル印刷時における作業効率性の向上をより図ることができるだけでなく
、ＣＤ／ＤＶＤディスク１１０にどのような映像が記録されているかを明示することがで
きる。
【００４２】
（印刷装置１００のハードウェア構成）
図２は、本実施の形態１における印刷装置のハードウェア構成の一例を示すブロック図
である。図２において、本実施の形態１における印刷装置１００は、ＣＰＵ（Ｃｅｎｔｒ
ａｌ  Ｐｒｏｃｅｓｓｉｎｇ  Ｕｎｉｔ）２０１と、ＲＯＭ（Ｒｅａｄ  Ｏｎｌｙ  Ｍｅ
ｍｏｒｙ）２０２と、ＲＡＭ（Ｒａｎｄｏｍ  Ａｃｃｅｓｓ  Ｍｅｍｏｒｙ）２０３と、
ＨＤＤ（Ｈａｒｄ  Ｄｉｓｃ  Ｄｒｉｖｅ）２０４と、ＨＤ（Ｈａｒｄ  Ｄｉｓｃ）２０
５と、スキャナ２０６と、インタフェース（Ｉ／Ｆ）２０７と、ＣＤ／ＤＶＤディスク１
１０と、ディスクドライブ１２０と、ラベルプリンタ１３０と、操作ボタン１４０と、デ
ィスプレイ１５０とを備えて構成されており、各構成部はバス２１０によってそれぞれ接
続されている。
【００４３】
ＣＰＵ２０１は、所定の演算処理を実行し、この印刷装置１００の全体を制御する。Ｒ
ＯＭ２０２は、各種制御プログラムなどを格納する。ＲＯＭ２０２に格納されたデータは
、ユーザの操作によって書き換えることが可能ではあるが、電源ＯＦＦによって消去され
ないものである。ＲＡＭ２０３は、可変的なデータを書き換え自在に記憶し、ＣＰＵ２０
１のワークエリアとして機能する。ＲＡＭ２０３は、電源ＯＦＦによって記憶されたデー
タが消去される揮発性のメモリであってもよいし、バッテリなどによってバックアップさ
れることによる不揮発性のメモリとしてもよい。
【００４４】
ＨＤＤ２０４はＣＰＵ２０１の制御命令に従って、ＨＤ２０５に対するデータの読み取
り／書き込みの制御をおこなう。ＨＤ２０５は、各種制御プログラムや各種データを、例
えばＣＰＵ２０１に読み取り可能に記憶する。ＨＤ２０５は、ＨＤＤ２０４による情報の
書き込みを受け付けるとともに、書き込まれたデータを不揮発に記憶する。スキャナ２０
６は、用紙などに印刷されている画像を光学的に読み取り、印刷装置１００の内部に画像
データを取り込む。
【００４５】
Ｉ／Ｆ２０７は、通信ケーブル２０８を介してＬＡＮ（Ｌｏｃａｌ  Ａｒｅａ  Ｎｅｔ
ｗｏｒｋ）やＷＡＮ（Ｗｉｄｅ  Ａｒｅａ  Ｎｅｔｗｏｒｋ）などのネットワーク２２０
に接続され、ネットワーク２２０と印刷装置１００とのインタフェースとして機能し、印
刷装置１００に対するデータの入出力を制御する。
【００４６】
ＣＤ／ＤＶＤディスク１１０は、各種制御プログラムや各種データを、たとえばＣＰＵ
２０１に読み取り可能に記憶する。ＣＤ／ＤＶＤディスク１１０は、ディスクドライブ１
２０による情報の書き込みを受け付けるとともに、書き込まれたデータを不揮発に記憶す
る着脱自在な記録媒体である。ディスクドライブ１２０はＣＰＵ２０１の制御命令に従っ
て、ＣＤ／ＤＶＤディスク１１０に対するデータの読み取り／書き込みの制御をおこなう
。
【００４７】
ラベルプリンタ１３０は、画像や文書などの印刷データをＣＤ／ＤＶＤディスク１１０
の表面上に印刷する。ラベルプリンタ１３０には、たとえば、レーザプリンタやインクジ
ェットプリンタを採用することができる。操作ボタン１４０は、文字、数字、各種指示な
どの入力のためのキーを備え、データの入力をおこなう。また、タッチパネル式の入力パ
ッドやテンキーなどであってもよい。
【００４８】
ディスプレイ１５０は、たとえばＣＲＴ（Ｃａｔｈｏｄｅ  Ｒａｙ  Ｔｕｂｅ）、ＴＦ
Ｔ（Ｔｈｉｎ  Ｆｉｌｍ  Ｔｒａｎｓｉｓｔｏｒ）液晶ディスプレイ、有機ＥＬ（Ｅｌｅ
ｃｔｒｏｌｕｍｉｎｅｓｃｅｎｃｅ）ディスプレイ、プラズマディスプレイなどのディス
プレイ装置によって構成される。ディスプレイ１５０には、アイコン、カーソル、メニュ
ー、ウィンドウ、あるいは文字や画像などの各種情報が表示される。
【００４９】
（印刷装置１００の機能的構成）
図３は、本実施の形態１における印刷装置の機能的構成の一例を示すブロック図である
。なお、以降においては、既に説明した部分と重複する箇所には同一の符号を附して説明
を省略する。図３に示すように、本実施の形態１における印刷装置１００は、制御部３０
１と、取得部３０２と、記録部３０３と、選択部３０４と、催促部３０５と、印刷部３０
６と、記憶部３１０とを備えて構成されている。
【００５０】
制御部３０１は、ＣＤ／ＤＶＤディスク１１０に記録されている映像の再生の開始・停
止を制御する。制御部３０１によって再生された映像は、ディスプレイ１５０の画面上に
表示される。具体的には、たとえばＲＯＭ２０２、ＲＡＭ２０３、あるいはＨＤ２０５に
格納されたプログラムをＣＰＵ２０１が実行することによってその機能を実現する。
【００５１】
取得部３０２は、制御部３０１によって再生された映像から画像を取得する。取得部３
０２は、具体的には、たとえばディスプレイ１５０の画面上に表示された映像に対して操
作ボタン１４０を用いてユーザがおこなった操作に基づいて、ＲＯＭ２０２、ＲＡＭ２０
３、あるいはＨＤ２０５に格納されたプログラムをＣＰＵ２０１が実行することによって
その機能を実現する。
【００５２】
記録部３０３は、取得部３０２によって取得された画像を記憶部３１０に記録する。記
録部３０３は、具体的には、たとえばＲＯＭ２０２、ＲＡＭ２０３、あるいはＨＤ２０５
に格納されたプログラムをＣＰＵ２０１が実行することによってその機能を実現する。
【００５３】
選択部３０４は、記憶部３１０に記憶されている複数の画像（すなわち記録部３０３に
よって記憶部３１０に記録された複数の画像）の中から、ＣＤ／ＤＶＤディスク１１０の
表面上に印刷する画像を選択する。選択部３０４は、具体的には、たとえばディスプレイ
１５０の画面上に表示された映像に対して操作ボタン１４０を用いてユーザがおこなった
操作に基づいて、ＲＯＭ２０２、ＲＡＭ２０３、あるいはＨＤ２０５に格納されたプログ
ラムをＣＰＵ２０１が実行することによってその機能を実現する。
【００５４】
催促部３０５は、たとえばユーザに対してＣＤ／ＤＶＤディスク１１０をディスクドラ
イブ１２０から取り出してラベルプリンタ１３０にセットするように指示する旨のメッセ
ージをディスプレイ１５０の画面上に表示する。また、催促部３０５は、たとえばユーザ
に対してＣＤ／ＤＶＤディスク１１０をラベルプリンタ１３０から取り出してディスクド
ライブ１２０にセットするように指示する旨のメッセージをディスプレイ１５０の画面上
に表示する。また催促部３０５は、たとえば上記メッセージを表示すると同時にディスク
ドライブ１２０およびラベルプリンタ１３０のトレイを開く。催促部３０５は、具体的に
は、たとえばＲＯＭ２０２、ＲＡＭ２０３、あるいはＨＤ２０５に格納されたプログラム
をＣＰＵ２０１が実行することによって制御されたディスプレイ１５０によってその機能
を実現する。
【００５５】
印刷部３０６は、取得部３０２によって取得された画像または選択部３０４によって選
択された画像をＣＤ／ＤＶＤディスク１１０の表面上に印刷する。印刷部３０６は、具体
的には、たとえばＲＯＭ２０２、ＲＡＭ２０３、あるいはＨＤ２０５に格納されたプログ
ラムをＣＰＵ２０１が実行することによって制御されたラベルプリンタ１３０によってそ
の機能を実現する。
【００５６】
記憶部３１０は、記録部３０３によって記録された画像を記憶する。記憶部３１０は、
記憶部３１０を実現する記録媒体の容量の範囲内において、複数の画像を記憶することが
できる。記憶部３１０は、具体的には、たとえばＲＡＭ２０３によってその機能を実現す
る。
【００５７】
（印刷装置１００の印刷処理手順）
図４−１および図４−２は、本実施の形態１における印刷装置による印刷処理手順の一
例を示すフローチャートである。以下、本実施の形態１における印刷処理手順について図
４−１および図４−２を用いて説明する。
【００５８】
図４―１に示すように、まず、制御部３０１によって、ＣＤ／ＤＶＤディスク１１０に
記録されている映像を再生する（ステップＳ４０１）。制御部３０１によって再生された
映像は、ディスプレイ１５０の画面上に表示される。
【００５９】
つぎに、制御部３０１によって、ステップＳ４０１で再生された映像が終端に達してい
るか否かを判断する（ステップＳ４０２）。ステップＳ４０２において、再生された映像
が終端に達していないと判断された場合（ステップＳ４０２：Ｎｏ）は、ステップＳ４０
３へ進む。
【００６０】
そして、取得部３０２によって、操作ボタン１４０に備えられた印刷ボタン１４０Ａが
押下されたか否かを判断する（ステップＳ４０３）。ステップＳ４０３において、操作ボ
タン１４０に備えられた印刷ボタン１４０Ａが押下されたと判断した場合（ステップＳ４
０３：Ｙｅｓ）は、取得部３０２によって、ステップＳ４０１で再生された映像から画像
を取得する（ステップＳ４０４）。ここで取得部３０２は、ステップＳ４０１で再生され
た映像のうち、印刷ボタン１４０Ａが押下されたときにディスプレイ１５０の画面上に表
示されている画像を取得する。なお、再生中の映像から画像を取得する操作の一例につい
ては図５を用いて後述する。
【００６１】
一方、ステップＳ４０３において、操作ボタン１４０に備えられた印刷ボタン１４０Ａ
が押下されていないと判断した場合（ステップＳ４０３：Ｎｏ）は、ステップＳ４０２へ
戻る。
【００６２】
つぎに、取得部３０２によって、ステップＳ４０４で取得された画像でよいか否かを判
断する（ステップＳ４０５）。ここで、取得部３０２は、たとえばステップＳ４０４で取
得された画像でよいか否かを選択する画面をディスプレイ１５０の画面上に表示して、表
示された画像に対して操作ボタン１４０を用いてユーザがおこなった操作に基づいて、上
記判断をおこなう。
【００６３】
ステップＳ４０５において、ステップＳ４０４で取得された画像でよいと判断した場合
（ステップＳ４０５：Ｙｅｓ）は、印刷部３０６によって、ラベルプリンタ１３０が印刷
可能な状態か否かを判断する（ステップＳ４０６）。ここで、印刷部３０６は、たとえば
ラベルプリンタ１３０の電源のＯＮ／ＯＦＦ（ラベルプリンタ１３０の電源が別に設けら
れている場合のみ）や、ラベルプリンタ１３０がインクジェットプリンタの場合はラベル
プリンタ１３０に備えられたインクの残量などの情報に基づいて、上記判断をおこなう。
【００６４】
一方、ステップＳ４０５において、ステップＳ４０４で取得された画像でよくないと判
断した場合（ステップＳ４０５：Ｎｏ）は、ステップＳ４０２へ戻る。なお、取得された
画像がよいか否かを選択する画面の一例については図６を用いて後述する。
【００６５】
ステップＳ４０６において、ラベルプリンタ１３０が印刷可能な状態であると判断した
場合（ステップＳ４０６：Ｙｅｓ）は、印刷部３０６によって、ステップＳ４０４で取得
された画像をすぐに印刷するか否かを判断する（ステップＳ４０７）。ここで印刷部３０
６は、たとえば画像をすぐに印刷するか否かを選択する画面をディスプレイ１５０の画面
上に表示して、表示された画像に対して操作ボタン１４０を用いてユーザがおこなった操
作に基づいて、上記判断をおこなう。なお、画像をすぐに印刷するか否かを選択する画面
の一例については図８を用いて後述する。
【００６６】
一方、ステップＳ４０６において、ラベルプリンタ１３０が印刷可能な状態ではないと
判断した場合（ステップＳ４０６：Ｎｏ）は、記録部３０３によって、ステップＳ４０４
で取得された画像を記憶部３１０に記録して（ステップＳ４０８）、ステップＳ４０２へ
戻る。
【００６７】
ここで、たとえば印刷部３０６は、ステップＳ４０６においてユーザに対して注意をう
ながすため、ラベルプリンタ１３０が印刷可能な状態ではない旨のメッセージをディスプ
レイ１５０の画面上に表示してもよい。なお、ラベルプリンタ１３０が印刷可能な状態で
はない旨のメッセージの一例については図７を用いて後述する。
【００６８】
また、たとえばステップＳ４０４によって画像を取得した後に、ステップ４０５〜ステ
ップＳ４０７による確認処理をおこなわずに、ステップＳ４０８によって画像を記憶部３
１０に記録して、ステップＳ４１７によってＣＤ／ＤＶＤディスク１１０に記録されてい
る映像の再生が停止された後に、ステップＳ４２０によって、記憶部３１０に記録された
画像の中からＣＤ／ＤＶＤディスク１１０の表面上に印刷する画像を選択するようにして
もよい。
【００６９】
ステップＳ４０７において、ステップＳ４０４で取得された画像をすぐに印刷しないと
判断した場合（ステップＳ４０７：Ｎｏ）は、記録部３０３によって、取得部３０２によ
って取得された画像を記憶部３１０に記録して（ステップＳ４０８）、ステップＳ４０２
へ戻る。
【００７０】
一方、ステップＳ４０７において、ステップＳ４０４で取得された画像をすぐに印刷す
ると判断した場合（ステップＳ４０７：Ｙｅｓ）は、図４−２に示すように、制御部３０
１によって、ＣＤ／ＤＶＤディスク１１０に記録されている映像の再生を停止して（ステ
ップＳ４０９）、催促部３０５によって、ユーザに対してＣＤ／ＤＶＤディスク１１０を
ラベルプリンタ１３０にセットするように指示する旨のメッセージをディスプレイ１５０
の画面上に表示する（ステップＳ４１０）。このとき、同時にディスクドライブ１２０お
よびラベルプリンタ１３０のトレイを開くようにしてもよい。なお、ＣＤ／ＤＶＤディス
ク１１０をラベルプリンタ１３０にセットするように指示する旨のメッセージの一例につ
いては図９を用いて後述する。
【００７１】
つぎに、印刷部３０６によって、ラベルプリンタ１３０が印刷可能な状態か否かを判断
する（ステップＳ４１１）。ここで、印刷部３０６は、ステップＳ４０６での判断処理に
用いられる情報とともに、たとえばラベルプリンタ１３０にＣＤ／ＤＶＤディスク１１０
がセットされているか否かなどの情報に基づいて、上記判断をおこなう。
【００７２】
ステップＳ４１１において、ラベルプリンタ１３０が印刷可能な状態であると判断した
場合（ステップＳ４１１：Ｙｅｓ）は、印刷部３０６によって、ステップＳ４０４で取得
された画像をＣＤ／ＤＶＤディスク１１０の表面上に印刷して（ステップＳ４１２）、印
刷部３０６によって、印刷が完了したか否かを判断する（ステップＳ４１３）。
【００７３】
一方、ステップＳ４１１において、ラベルプリンタ１３０が印刷可能な状態ではないと
判断した場合（ステップＳ４１１：Ｎｏ）は、一連の処理を終了する。ここで、印刷部３
０６は、たとえばラベルプリンタ１３０が印刷可能な状態となるまで待機して、ラベルプ
リンタ１３０が印刷可能な状態となったときに、ステップＳ４０４で取得された画像をＣ
Ｄ／ＤＶＤディスク１１０の表面上に印刷するようにしてもよい。なお、ＣＤ／ＤＶＤデ
ィスク１１０の表面上に印刷された画像の一例については図１０を用いて後述する。
【００７４】
ステップＳ４１３において、印刷が完了したと判断した場合（ステップＳ４１３：Ｙｅ
ｓ）は、制御部３０１によって、ステップＳ４０９で再生が停止されたＣＤ／ＤＶＤディ
スク１１０に記録されている映像のうち、停止された箇所に続く映像を再生するか否かを
判断する（ステップＳ４１４）。ここで、制御部３０１は、たとえば停止された箇所に続
く映像を再生するか否かを選択する画面をディスプレイ１５０の画面上に表示して、表示
された画像に対して操作ボタン１４０を用いてユーザがおこなった操作に基づいて、上記
判断をおこなう。
【００７５】
一方、ステップＳ４１３において、印刷が完了していないと判断した場合（ステップＳ
４１３：Ｎｏ）は、ステップＳ４１３において印刷が完了したと判断されるまで、繰り返
しステップＳ４１３の処理をおこなう。
【００７６】
ステップＳ４１４において、停止された箇所に続く映像を再生すると判断した場合（ス
テップＳ４１４：Ｙｅｓ）は、催促部３０５によって、ユーザに対してＣＤ／ＤＶＤディ
スク１１０をディスクドライブ１２０にセットするように指示する旨のメッセージをディ
スプレイ１５０の画面上に表示する（ステップＳ４１５）。このとき、同時にディスクド
ライブ１２０およびラベルプリンタ１３０のトレイを開くようにしてもよい。一方、ステ
ップＳ４１４において、停止された箇所に続く映像を再生しないと判断した場合（ステッ
プＳ４１４：Ｎｏ）は、一連の処理を終了する。なお、ＣＤ／ＤＶＤディスク１１０をデ
ィスクドライブ１２０にセットするように指示する旨のメッセージの一例については図１
１を用いて後述する。
【００７７】
そして、ＣＤ／ＤＶＤディスク１１０がディスクドライブ１２０にセットされた後に、
制御部３０１によって、停止された箇所に続く映像を再生して（ステップＳ４１６）、一
連の処理を終了する。
【００７８】
一方、図４−１に示すように、ステップＳ４０２において、再生された映像が終端に達
したと判断された場合（ステップＳ４０２：Ｙｅｓ）は、制御部３０１によって、ＣＤ／
ＤＶＤディスク１１０に記録されている映像の再生を停止して（ステップＳ４１７）、印
刷部３０６によって、記録部３０３によって１件以上の画像が記憶部３１０に記録された
か否かを判断する（ステップＳ４１８）。
【００７９】
ステップＳ４１８において、１件以上の画像が記憶部３１０に記録されたと判断した場
合（ステップＳ４１８：Ｙｅｓ）は、印刷部３０６によって、記憶部３１０に記録された
画像をＣＤ／ＤＶＤディスク１１０の表面上に印刷するか否かを判断する（ステップＳ４
１９）。ここで印刷部３０６は、たとえば記憶部３１０に記録された画像をＣＤ／ＤＶＤ
ディスク１１０の表面上に印刷するか否かを選択する画面をディスプレイ１５０の画面上
に表示して、表示された画像に対して操作ボタン１４０を用いてユーザがおこなった操作
に基づいて、上記判断をおこなう。一方、ステップＳ４１８において、１件以上の画像が
記憶部３１０に記録されていないと判断した場合（ステップＳ４１８：Ｎｏ）は、一連の
処理を終了する。
【００８０】
ステップＳ４１９において、記憶部３１０に記録された画像をＣＤ／ＤＶＤディスク１
１０の表面上に印刷すると判断した場合（ステップＳ４１９：Ｙｅｓ）は、選択部３０４
によって、記憶部３１０に記憶されている複数の画像（すなわち、記録部３０３によって
記憶部３１０に記録された複数の画像）の中から、ＣＤ／ＤＶＤディスク１１０の表面上
に印刷する画像を選択する（ステップＳ４２０）。
【００８１】
ここで印刷部３０６は、たとえばＣＤ／ＤＶＤディスク１１０の表面上に印刷する画像
を選択する画面をディスプレイ１５０の画面上に表示して、表示された画像に対して操作
ボタン１４０を用いてユーザがおこなった操作に基づいて、上記選択をおこなう。また、
たとえばＣＤ／ＤＶＤディスク１１０の表面上に印刷する複数の画像をディスプレイ１５
０の画面上で選択することができるようにしてもよい。さらに、たとえばＣＤ／ＤＶＤデ
ィスク１１０の表面上に一つまたは複数の画像を印刷するときに用いる印刷レイアウトを
ディスプレイ１５０の画面上で選択することができるようにしてもよい。また、たとえば
あらかじめＣＤ／ＤＶＤディスク１１０（すわなち、再生される映像が記録されている記
録媒体）に記録されている画像を選択することができるようにしてもよい。なお、ＣＤ／
ＤＶＤディスク１１０の表面上に印刷する画像を選択する画面の一例については図１２を
用いて後述する。
【００８２】
一方、ステップＳ４１９において、記憶部３１０に記録された画像をＣＤ／ＤＶＤディ
スク１１０の表面上に印刷しないと判断した場合（ステップＳ４１９：Ｎｏ）は、一連の
処理を終了する。
【００８３】
つぎに、催促部３０５によって、ユーザに対してＣＤ／ＤＶＤディスク１１０をラベル
プリンタ１３０にセットするように指示する旨のメッセージをディスプレイ１５０の画面
上に表示する（ステップＳ４２１）。このとき、同時にディスクドライブ１２０およびラ
ベルプリンタ１３０のトレイを開くようにしてもよい。そして、印刷部３０６によって、
ラベルプリンタ１３０が印刷可能な状態か否かを判断する（ステップＳ４２２）。ここで
、印刷部３０６は、ステップＳ４１１での判断処理に用いられる情報に基づいて、上記判
断をおこなう。
【００８４】
ステップＳ４２２において、ラベルプリンタ１３０が印刷可能な状態であると判断した
場合（ステップＳ４２２：Ｙｅｓ）は、印刷部３０６によって、ステップＳ４２０で選択
された画像をＣＤ／ＤＶＤディスク１１０の表面上に印刷して（ステップＳ４２３）、一
連の処理を終了する。なお、一連の処理を終了する前に、記憶部３１０に記録されている
画像を破棄するようにしてもよい。
【００８５】
一方、ステップＳ４２２において、ラベルプリンタ１３０が印刷可能な状態ではないと
判断した場合（ステップＳ４２２：Ｎｏ）は、一連の処理を終了する。ここで、印刷部３
０６は、たとえばラベルプリンタ１３０が印刷可能な状態となるまで待機して、ラベルプ
リンタ１３０が印刷可能な状態となったときに、ステップＳ４２０で選択された画像をＣ
Ｄ／ＤＶＤディスク１１０の表面上に印刷するようにしてもよい。
【００８６】
（画像を取得する操作の一例）
図５は、再生中の映像から画像を取得する操作の一例を示す説明図である。図５におい
て、印刷装置１００に備えられたディスプレイ１５０の画面上には、ＣＤ／ＤＶＤディス
ク１１０に記録されておりディスクドライブ１２０によって再生されている映像が表示さ
れている。
【００８７】
図５において、たとえばディスプレイ１５０の画面上に表示されている映像にはタイト
ル「○×小学校運動会」と撮影日「２００６．２．１５」とが示されている。この状態か
ら、たとえば、ユーザがこの映像をＣＤ／ＤＶＤディスク１１０の表面上に印刷したいと
判断した場合は、ユーザによって印刷装置１００に備えられた印刷ボタン１４０Ａが押下
されることによって、ディスプレイ１５０の画面上に表示されている映像が画像としてキ
ャプチャ（取得）される。
【００８８】
（取得された画像がよいか否かを選択する画面の一例）
図６は、取得された画像がよいか否かを選択する画面の一例を示す説明図である。図６
において印刷装置１００に備えられたディスプレイ１５０の画面上には、図５に示すよう
なユーザの操作によってキャプチャ（取得）された画像と、キャプチャされた画像がよい
か否かを選択するポップアップ画面６１０とが表示されている。
【００８９】
図６において、たとえばユーザによる方向ボタン１４０Ｂの操作によってキャプチャさ
れた画像がよいか否か（「はい」または「いいえ」）が選択される。また、選択ボタン１
４０Ｃが押下されることによって、キャプチャされた画像がよいか否かが決定される。た
とえばユーザによってキャプチャされた画像が好ましくないと判断された場合は、ユーザ
によって「いいえ」が選択される。
【００９０】
なお、図６に示すようにキャプチャされた画像およびポップアップ画面６１０だけをデ
ィスプレイ１５０の画面上に表示するのではなく、たとえばキャプチャされた画像および
ポップアップ画面６１０と、図５に示したような再生中の映像をディスプレイ１５０の画
面上に分割表示するようにしてもよい。これにより、たとえばユーザは、再生中の映像を
視聴しながら上記選択操作をおこなうことができる。
【００９１】
（ラベルプリンタ１３０が印刷可能な状態ではない旨のメッセージの一例）
図７は、ラベルプリンタ１３０が印刷可能な状態ではない旨のメッセージの一例を示す
説明図である。
【００９２】
図７において印刷装置１００に備えられたディスプレイ１５０の画面上には、ラベルプ
リンタ１３０が印刷可能な状態ではない旨を示すメッセージとして「プリンタの準備がで
きていません。プリンタが接続されているかプリンタの電源がＯＮになっているか確認し
てください。」という警告文（メッセージ）が表示されている。
【００９３】
このようなメッセージは、たとえばラベルプリンタ１３０の電源がＯＦＦになっている
場合や、ラベルプリンタ１３０がインクジェットプリンタであり、このラベルプリンタ１
３０備えられたインクの残量が不足している場合などに表示される。
【００９４】
（画像をすぐに印刷するか否かを選択する画面の一例）
図８は、画像をすぐに印刷するか否かを選択する画面の一例を示す説明図である。図８
において印刷装置１００に備えられたディスプレイ１５０の画面上には、図５に示すよう
なユーザの操作によってキャプチャ（取得）された画像と、画像をすぐに印刷するか否か
を選択するポップアップ画面８１０とが表示されている。
【００９５】
図８において、たとえばユーザによる方向ボタン１４０Ｂの操作によって画像をすぐに
印刷するか否か（「はい」または「いいえ」）が選択される。また、選択ボタン１４０Ｃ
が押下されることによって、画像をすぐに印刷するか否かが決定される。たとえばユーザ
によって、映像の再生が終了した後に画像を印刷したいと判断された場合は、ユーザによ
って「いいえ」が選択される。
【００９６】
（ディスクをラベルプリンタにセットするように指示する旨のメッセージの一例）
図９は、ＣＤ／ＤＶＤディスク１１０をラベルプリンタ１３０にセットするように指示
する旨のメッセージの一例を示す説明図である。
【００９７】
図９において印刷装置１００に備えられたディスプレイ１５０の画面上には、ＣＤ／Ｄ
ＶＤディスク１１０をラベルプリンタ１３０にセットするように指示する旨を示すメッセ
ージとして「ディスクを取り出してプリンタにセットしてください。」という指示文（メ
ッセージ）が表示されている。このようなメッセージは、たとえば図８示すようなユーザ
の操作によって、キャプチャされた画像をすぐに印刷すると選択された場合に表示される
。
【００９８】
（ディスクの表面上に印刷された画像の一例）
図１０は、ＣＤ／ＤＶＤディスク１１０の表面上に印刷された画像の一例を示す説明図
であり、ＣＤ／ＤＶＤディスク１１０の表面上には、図５に示すようなユーザの操作によ
ってキャプチャされた画像が、ラベルプリンタ１３０によって印刷されている。
【００９９】
（ディスクをディスクドライブにセットするように指示する旨のメッセージの一例）
図１１は、ＣＤ／ＤＶＤディスク１１０をディスクドライブ１２０にセットするように
指示する旨のメッセージの一例を示す説明図である。
【０１００】
図１１において印刷装置１００に備えられたディスプレイ１５０の画面上には、ＣＤ／
ＤＶＤディスク１１０をディスクドライブ１２０にセットするように指示する旨を示すメ
ッセージとして「ディスクをディスクドライブにセットしてください。」という指示文（
メッセージ）が表示されている。このようなメッセージは、たとえばラベルプリンタ１３
０によるＣＤ／ＤＶＤディスク１１０の表面上への画像の印刷が完了したときに表示され
る。
【０１０１】
（ディスクの表面上に印刷する画像を選択する画面の一例）
つぎに、ＣＤ／ＤＶＤディスク１１０の表面上に印刷する画像を選択する画面の一例に
ついて説明する。図１２は、ＣＤ／ＤＶＤディスク１１０の表面上に印刷する画像を選択
する画面の一例を示す説明図である。
【０１０２】
図１２において印刷装置１００に備えられたディスプレイ１５０の画面上には、図５に
示すようなユーザの操作によってキャプチャ（取得）された画像１２０１，１２０２，１
２０３，１２０４が表示されている。
【０１０３】
図１２において、たとえばユーザによる方向ボタン１４０Ｂの操作によって画像１２０
１〜１２０４の中からＣＤ／ＤＶＤディスク１１０の表面上に印刷する画像が選択される
。また、選択ボタン１４０Ｃが押下されることによって、画像１２０１〜１２０４の中か
らＣＤ／ＤＶＤディスク１１０の表面上に印刷する画像が決定される。
【０１０４】
このような画面は、たとえば図５に示すようなユーザの操作によってキャプチャ（取得
）された図１２に示す複数の画像１２０１〜１２０４のそれぞれが、図８に示すようなユ
ーザの操作によって映像の再生が終了した後に画像を印刷したいと判断された場合に表示
される。
【０１０５】
なお、図１２おいて、たとえば画像１２０１〜１２０４の中からＣＤ／ＤＶＤディスク
１１０の表面上に印刷する複数の画像をディスプレイ１５０の画面上で選択することがで
きるようにしてもよい。また、たとえば複数の印刷レイアウトをディスプレイ１５０の画
面上に表示して、ＣＤ／ＤＶＤディスク１１０の表面上に一つまたは複数の画像を印刷す
るときに用いる印刷レイアウトをディスプレイ１５０の画面上で選択することができるよ
うにしてもよい。さらに、たとえばあらかじめＣＤ／ＤＶＤディスク１１０（すわなち、
再生される映像が記録されている記録媒体）に記録されている画像を選択することができ
るようにしてもよい。
【０１０６】
このように、本実施の形態１における印刷装置１００によれば、たとえばユーザは、Ｃ
Ｄ／ＤＶＤディスク１１０に記録されている映像を視聴しているときに、印刷ボタン１４
０Ａを押下して、ディスプレイ１５０の画面上に表示されたメッセージに従ってＣＤ／Ｄ
ＶＤディスク１１０をラベルプリンタ１３０にセットするだけといった簡単な操作によっ
て、手間のかかる別の作業をおこなうことなく、容易に、ＣＤ／ＤＶＤディスク１１０に
記録されている映像に含まれた画像の中から所望する画像をＣＤ／ＤＶＤディスク１１０
の表面上に印刷することができる。これにより、ラベル印刷時における作業効率性の向上
を図ることができるだけでなく、ＣＤ／ＤＶＤディスク１１０の表面上に印刷された画像
により、ユーザに対し、どの記録媒体にどのような映像が記録されているかを容易に把握
させることが可能となる。
【０１０７】
（実施の形態２）
（映像再生装置の構成の概要）
図１３は、本実施の形態２における映像再生装置の構成の概要を示す説明図である。図
１３において、映像再生装置１３００は、ＣＤ／ＤＶＤディスク１１０に記録されている
映像を再生する機能を備えているが、ＣＤ／ＤＶＤディスク１１０の表面上にラベルを印
刷する機能を備えていないたとえばＤＶＤレコーダなどの装置である。
【０１０８】
この映像再生装置１３００は、ディスクドライブ１２０と、たとえばリモコンなどの操
作ボタン１４０とを備えて構成されており、通信ケーブル２０８によって、たとえばテレ
ビモニタなどのディスプレイ１５０と、ラベルプリンタ１３０とに接続されている。ここ
で、映像再生装置１３００とラベルプリンタ１３０との接続は、ＵＳＢダイレクトまたは
ピクトブリッジに基づいたものであってもよい。なお、上記各ハードウェアの機能につい
ては、上述した実施の形態１における各ハードウェアの機能と同様であるため、ここでは
説明を省略する。
【０１０９】
上述した構成による映像再生装置１３００は、ＣＤ／ＤＶＤディスク１１０に記録され
ている映像が再生されているときに、たとえば操作ボタン１４０の操作によって、操作ボ
タン１４０が操作されたときにディスプレイ１５０の画面上に表示されていた画像をメモ
リなどの記録媒体にキャプチャ（取り込み）することができる。
【０１１０】
そして、映像の再生が停止され、ユーザによってＣＤ／ＤＶＤディスク１１０がディス
クドライブ１２０から取り出された後に、ラベルプリンタ１３０にセットされることによ
って、キャプチャされた画像をＣＤ／ＤＶＤディスク１１０の表面上に印刷することがで
きる。また、印刷が終了した後に、ＣＤ／ＤＶＤディスク１１０を再びディスクドライブ
１２０にセットすることによって、停止された箇所に続く映像を再生することができる。
【０１１１】
このように、本実施の形態２における映像再生装置１３００は、たとえばユーザは、Ｃ
Ｄ／ＤＶＤディスク１１０に記録されている映像を視聴しているときに、操作ボタン１４
０を操作して、ＣＤ／ＤＶＤディスク１１０をラベルプリンタ１３０にセットするだけと
いった簡単な操作によって、ＣＤ／ＤＶＤディスク１１０に記録されている映像に含まれ
た画像の中から所望する画像をＣＤ／ＤＶＤディスク１１０の表面上に印刷することがで
きる。これにより、ラベル印刷時における作業効率性の向上を図ることができるだけでな
く、ＣＤ／ＤＶＤディスク１１０にどのような映像が記録されているかを明示することが
できる。
【０１１２】
（映像再生装置１３００のハードウェア構成）
図１４は、本実施の形態２における映像再生装置のハードウェア構成の一例を示すブロ
ック図である。図１４において、本実施の形態２における映像再生装置１３００は、ＣＰ
Ｕ（Ｃｅｎｔｒａｌ  Ｐｒｏｃｅｓｓｉｎｇ  Ｕｎｉｔ）２０１と、ＲＯＭ（Ｒｅａｄ  
Ｏｎｌｙ  Ｍｅｍｏｒｙ）２０２と、ＲＡＭ（Ｒａｎｄｏｍ  Ａｃｃｅｓｓ  Ｍｅｍｏｒ
ｙ）２０３と、ＨＤＤ（Ｈａｒｄ  Ｄｉｓｃ  Ｄｒｉｖｅ）２０４と、ＨＤ（Ｈａｒｄ  
Ｄｉｓｃ）２０５と、インタフェース（Ｉ／Ｆ）２０７と、ＣＤ／ＤＶＤディスク１１０
と、ディスクドライブ１２０と、操作ボタン１４０とを備えて構成されており、各構成部
はバス２１０によってそれぞれ接続されている。
【０１１３】
図１４において、映像再生装置１３００は、スキャナ２０６、ラベルプリンタ１３０、
ディスプレイ１５０を備えておらず、ラベルプリンタ１３０およびディスプレイ１５０と
に通信ケーブル２０８によって接続されている点が、実施の形態１（図２）に上述した印
刷装置１００のハードウェア構成と異なる。
【０１１４】
（映像再生装置１３００の機能的構成）
図１５は、本実施の形態２における映像再生装置の機能的構成の一例を示すブロック図
である。図１５に示すように、本実施の形態２における映像再生装置１３００は、制御部
３０１と、取得部３０２と、記録部３０３と、選択部３０４と、催促部３０５と、出力部
１５０１、記憶部３１０とを備えて構成されており、印刷部３０６を備えておらず、出力
部１５０１を備えている点が、実施の形態１（図３）に上述した印刷装置１００の機能的
構成と異なる。
【０１１５】
出力部１５０１は、取得部３０２によって取得された画像または選択部３０４によって
選択された画像を、通信ケーブル２０８によって接続されているラベルプリンタ１３０に
対して出力して、上記画像をＣＤ／ＤＶＤディスク１１０の表面上に印刷する。出力部１
５０１は、具体的には、たとえばＲＯＭ２０２、ＲＡＭ２０３、あるいはＨＤ２０５に格
納されたプログラムをＣＰＵ２０１が実行することによって制御されたＩ／Ｆ２０７によ
ってその機能を実現する。
【０１１６】
（映像再生装置１３００の印刷処理手順）
本実施の形態２における映像再生装置１３００による印刷処理手順については、実施の
形態１（図４−１および図４−２）に上述した印刷装置１００による印刷処理手順と同様
のため説明を省略する。
【０１１７】
以上説明したように、本実施の形態２における映像再生装置１３００によれば、たとえ
ばユーザは、ＣＤ／ＤＶＤディスク１１０に記録されている映像を視聴しているときに、
リモコンなどの操作ボタン１４０を操作して、ディスプレイ１５０の画面上に表示された
メッセージに従ってＣＤ／ＤＶＤディスク１１０をラベルプリンタ１３０にセットするだ
けといった簡単な操作によって、手間のかかる別の作業をおこなうことなく、容易に、Ｃ
Ｄ／ＤＶＤディスク１１０に記録されている映像に含まれた画像の中から所望する画像を
ＣＤ／ＤＶＤディスク１１０の表面上に印刷することができる。これにより、ラベル印刷
時における作業効率性の向上を図ることができるだけでなく、ＣＤ／ＤＶＤディスク１１
０の表面上に印刷された画像により、ユーザに対し、どの記録媒体にどのような映像が記
録されているかを容易に把握させることが可能となる。
【０１１８】
なお、本実施の形態２における映像再生装置１３００は、たとえば図１３に示したよう
なＤＶＤレコーダに限らずに、たとえば図１６に示す映像再生装置１６００のように、デ
ィスクドライブ１２０、ディスプレイ１５０、キーボード１６０１およびマウス１６０２
を備え、通信ケーブル２０８によってラベルプリンタ１３０と接続されたパーソナル・コ
ンピュータなどであっても良い。
【０１１９】
なお、実施の形態１および実施の形態２で説明した印刷方法は、あらかじめ用意された
プログラムをパーソナル・コンピュータやワークステーションなどのコンピュータで実行
することにより実現することができる。このプログラムは、ハードディスク、フレキシブ
ルディスク、ＣＤ−ＲＯＭ、ＭＯ、ＤＶＤなどのコンピュータで読み取り可能な記録媒体
に記録され、コンピュータによって記録媒体から読み出されることによって実行される。
またこのプログラムは、インターネットなどのネットワークを介して配布することが可能
な伝送媒体であってもよい。
【図面の簡単な説明】
【０１２０】
【図１】印刷装置の構成の概要を示す説明図。
【図２】印刷装置のハードウェア構成の一例を示すブロック図。
【図３】印刷装置の機能的構成の一例を示すブロック図。
【図４−１】印刷処理手順の一例を示すフローチャート。
【図４−２】印刷処理手順の一例を示すフローチャート。
【図５】再生中の映像から画像を取得する操作の一例を示す説明図。
【図６】取得された画像がよいか否かを選択する画面の一例を示す説明図。
【図７】印刷可能な状態ではない旨のメッセージの一例を示す説明図。
【図８】画像をすぐに印刷するか否かを選択する画面の一例を示す説明図。
【図９】ディスクのセットを指示する旨のメッセージの一例を示す説明図。
【図１０】ディスクの表面上に印刷された画像の一例を示す説明図。
【図１１】ディスクのセットを指示する旨のメッセージの一例を示す説明図。
【図１２】ディスクの表面上に印刷する画像を選択する画面の一例を示す説明図。
【図１３】映像再生装置の構成の概要を示す説明図。
【図１４】映像再生装置のハードウェア構成の一例を示すブロック図。
【図１５】映像再生装置の機能的構成の一例を示すブロック図。
【図１６】映像再生装置の別の構成の概要を示す説明図。
【符号の説明】
【０１２１】
１００  印刷装置、１１０  ＣＤ／ＤＶＤディスク、１２０  ディスクドライブ、１３
０  ラベルプリンタ、１４０  操作ボタン、１５０  ディスプレイ、３０１  制御部、３
０２  取得部、３０３  記録部、３０４  選択部、３０５  催促部、３０６  印刷部、３
１０  記憶部
【図１】
0004765709.tif 000002
【図２】
0004765709.tif 000003
【図３】
0004765709.tif 000004
【図４−１】
0004765709.tif 000005
【図４−２】
0004765709.tif 000006
【図５】
0004765709.tif 000007
【図６】
0004765709.tif 000008
【図７】
0004765709.tif 000009
【図８】
0004765709.tif 000010
【図９】
0004765709.tif 000011
【図１０】
0004765709.tif 000012
【図１１】
0004765709.tif 000013
【図１２】
0004765709.tif 000014
【図１３】
0004765709.tif 000015
【図１４】
0004765709.tif 000016
【図１５】
0004765709.tif 000017
【図１６】
0004765709.tif 000018